(57)【要約】【課題】正規の規格を超えた記録時間に対応して情報記録された光ディスクを再生するときに、最初のセッションの有するリードインエリアであるのか後方向に位置するセッションのリードインエリアであるかの判別を、従来構造を複雑にしたり信号処理のためのソフトウエアを大きく変更したりすることなく得られるディスク再生装置及び再生位置診断方法を提供する。【解決手段】光ディスク１は、情報記録部３に光ピックアップから発せられる信号書込用のレーザ光ビームを照射して音楽データ、パソコンデータ、画像データ等々が第１、第２、第３・・というマルチセッションで記録されている。光ピックアップがディスク最内周近傍に移動したときに作動するスイッチ部材のオン／オフ情報を利用し、再生された絶対時間情報が、第１セッションに相応するものであるか後方向にあるセッションに相応するものであるかの別を確実に判定できる。【選択図】　　　図１
2004054990.tif 000002
【特許請求の範囲】
【請求項１】
リードインデータとプログラムデータとリードアウトデータを含むセッションが複数連続して記録可能とされ、
（内周側）最端に位置するセッションのリードインデータの絶対時間データが、当該リードインデータに係るプログラムデータに付された絶対時間データに対して不連続な値で付されたマルチセッション型のディスクを再生するディスク再生装置において、
前記ディスクの（内周）最端近傍に設けられ、前記ディスクを再生するためのピックアップが当該端部近傍に位置したことを検出し、検出結果を出力するスイッチ部材と、
前記ピックアップで読み取った再生信号から絶対時間データを得るデータ処理手段と、
前記スイッチ部材の検出出力と前記データ処理手段によって得られた絶対時間データから、取得した絶対時間データが（内周側）最端に位置するセッションのリードインデータであるか否かを判断する判断手段と、
を具備することを特徴とするディスク再生装置。
【請求項２】
前記判断手段は、
前記スイッチ部材が、（内周）最端近傍に前記ピックアップが位置することを検出している状態では、前記データ処理手段で得られた絶対時間データは、前記（内周側）最端に位置するセッションのリードインデータの絶対時間データであると判断することを特徴とする請求項１に記載のディスク再生装置。
【請求項３】
前記スイッチ部材は、前記ディスクの（内周側）最端に位置するセッションのプログラムデータに対応する位置、若しくは前記プログラムデータに隣接する前記リードインデータの最端に対応する位置に設けられていることを特徴とする請求項１または２に記載のディスク再生装置。
【請求項４】
リードインデータとプログラムデータとリードアウトデータを含むセッションが複数連続して記録され、
（内周側）最端に位置するセッションのリードインデータの絶対時間データが、当該リードインデータに係るプログラムデータに付された絶対時間データに対して不連続な値で付されたマルチセッション型のディスクを再生するディスク再生装置において、
前記ディスクの（内周）最端近傍に設けられ、前記ディスクを再生するためのピックアップが当該端部近傍に位置したことを検出し、検出結果を出力するスイッチ部材と、
前記ピックアップで読み取った再生信号から絶対時間データを得るデータ処理手段と、
前記スイッチ部材の検出出力と前記データ処理手段によって得られた絶対時間データから、取得した絶対時間データが（内周側）最端に位置するセッションのリードインデータであるか否かを判断する判断手段と、
を備え、
前記判断手段は、
前記スイッチ部材が、ディスク（内周）最端近傍に前記ピックアップが位置していることを検出している状態で得られた絶対時間データは、前記（内周）最端に位置するセッションのリードインデータに係る第１の絶対時間データであると判断すると共に、
前記スイッチ部材が、ディスク（内周）最端近傍に前記ピックアップが位置していることを検出していない状態で得られた絶対時間データは、前記（内周）最端に位置するセッションのリードインデータに係るプログラムデータに付された絶対時間データから連続的な値で付された第２の絶対時間データであると判断することを特徴とするディスク再生装置。
【請求項５】
前記判断手段の判断処理は、
前記データ処理手段で得られた絶対時間情報が所定の範囲にあることが検出されたときに行われることを特徴とする請求項１乃至４のいずれかに記載のディスク再生装置。
【請求項６】
リードインデータとプログラムデータとリードアウトデータを含むセッションが複数連続して記録され、
（内周側）最端に位置するセッションのリードインデータの絶対位置時間データが、当該リードインデータに係るプログラムデータに付された絶対位置時間データに対して不連続な値で付されたマルチセッション型のディスクを再生するディスク再生装置の再生位置診断方法において、
前記ディスクを再生するためのピックアップが当該端部近傍に位置したことを検出した状態で得られた絶対時間データは、（内周側）最端に位置するセッションのリードインデータに係る絶対時間データであると判断することを特徴とするディスク再生装置の再生位置判断方法。
【発明の詳細な説明】
【０００１】
【発明の属する技術分野】
本発明は、ディスク再生装置及び再生位置診断方法に関する。
【０００２】
【従来の技術】
ＣＤが開発された当時は、ディスク盤面に音楽データやパソコンデータを記録するには大掛かりな製造設備を必要とし、一般個人が簡単に行うことができない現状であったが、近年になって一般個人が簡単に情報記録することができるＣＤ−ＲやＣＤ−ＲＷ等の光ディスク記録媒体が安価に提供できる状態となり、しかも光ディスクに記録を行うためのディスクドライブ装置も安価に提供できるようになった。
【０００３】
これらの光ディスクは、外観的には従前のＣＤ・ＲＯＭと同様の形状を呈し、図５に示すように光ディスク１の中心に取付穴２が設けられ、この取付穴２をチャッキング部材（不図示）に結合させて線速度一定等の回転制御をすると同時に情報記録部３に光ピックアップ（不図示）から発せられる信号書込用のレーザ光ビームを照射して音楽データ、パソコンデータ、画像データ等々を情報記録することができる。
【０００４】
情報記録部３に記録されるプログラムデータは、ＣＤ開発当時には１つのセッションで構成されていたが、近年になって第１、第２、第３・・という複数のセッションで記録されたマルチセッションの光ディスク１とすることが規格化されると共に当該規格に基づく記録を一般ユーザーが簡単に行うことができるようになった。
【０００５】
光ディスク１を再生して所望の再生信号に復元する場合には、情報記録部３の記録可能領域内に記録済みの複数個のリードインエリアとリードアウトエリア内の絶対位置時間情報を再生時に取得して解析する必要がある。
【０００６】
絶対位置時間情報は、最初の、即ち第１セッションのプログラムエリアの開始位置が図６に示すように、００分００秒００フレームとなっていて記録可能領域の最外周側が例えば９９分５９秒７４フレームとなっている。
【０００７】
この場合、第１セッション以外のリードインエリアであれば直前のセッションの有するプログラムエリアとリードアウトエリアから連続した絶対時間情報が情報記録部３のサブＱコードに記録されているために一義的に絶対時間情報を得ることができる。
【０００８】
しかし、第１セッションのリードインエリアに限っては、光記録開始時間位置より物理位置が手前にあるために負の時間として第１セッションのプログラムエリア開始位置から内周に向かうに伴って図７に一覧して示すように００分００秒００フレームの前に９９分５９秒７４フレームが記録され、次に９９分５９秒７３フレーム・・・・というような降順番に絶対位置時間情報が記録されている。
【０００９】
言い換えれば、第１セッションのリードインエリアに限っては、リードインデータが、最初のプログラムデータに付された絶対位置時間データに対して桁上がりしない不連続な絶対位置時間データ、即ち、００分００秒００フレームの前に９９分５９秒７４フレームが記録されることによってマルチセッション型の光ディスク１が構成されるのである。
【００１０】
再生時にこのようなデータをそのまま使用してしまうと、実際には第１セッションのデータであるに拘わらず時間情報的には光ディスク１の外周側の位置に現存する絶対位置時間情報と見なされてしまうので、後段の信号処理を行う際には「−６０分」のオフセット時間を加算した値に計算し直して後段の信号処理を行う必要がある。
【００１１】
この信号処理の具体的な処理ステップは、図８に示すフローチャートのように、先ず、再生時の読取りデータからサブＱコードのデータが取り込まれ（ステップＳ１）、ステップＳ２にて再生ディスクが「マルチセッションディスク」であるか否かの判定が行われ、再生ディスクがマルチセッションディスクでない場合（Ｎｏの場合）には動作終了とされ、マルチセッションディスクである場合（Ｙｅｓの場合）には次のステップＳ３に進む。
【００１２】
ステップＳ３は、絶対位置時間情報が９０分００秒００フレーム以上であるか否かを判定するもので、現行規格上の物理的容量として有り得ない値である「９０分００秒００フレーム」を超えた場合（Ｙｅｓの場合）には次のステップＳ４に進んで絶対位置時間情報に「−６０分」を足し算して得られた値を、次のステップＳ５で絶対位置であると確定して一連動作が終了され、そのデータが後段の信号処理に用いられる。
【００１３】
また、ステップＳ３の実行で「９０分００秒００フレーム」を超えていない場合（Ｎｏの場合）には、そのときの値がステップＳ５で絶対位置と確定された後に一連を動作が終了とされ、そのデータが後段の信号処理に用いられる。
【００１４】
従って、最初のセッション（第１セッション）のリードインエリアにある９９分５９秒７４フレーム等々の実際には存在しない絶対位置時間のデータが、あたかも正規に存在するものであると判断されてしまい結果的に誤った再生信号にされてしまうことを防ぐことができる。
【００１５】
【発明が解決しようとする課題】
近年になって、現状規格の有する記録可能時間である７６分を超えて９９分までの容量まで拡張して記録できる光ディスクが一般市場に投入されていて、これを再生した場合、第１セッション以外のリードインエリアであれば直前のセッションの有するプログラムエリアとリードアウトエリアに連続した絶対時間情報が情報記録部３のサブＱコードとして記録されているために一義的に絶対時間情報を得ることができる。
【００１６】
しかし、第１セッションのリードインエリアに限っては開始時間位置より物理位置が手前にあるため負の時間として第１セッションのプログラムエリア開始位置から内周に向かうに伴って図７に一覧して示すように００分００秒００フレームの次に９９分５９秒７４フレームが記録され、その次に９９分５９秒７３フレーム・・・・というような降順番に絶対時間情報が記録され、桁上がりしない不連続な絶対位置時間データになってしまう。
【００１７】
再生時にこのようなデータをそのまま使用してしまうと、実際には第１セッションのデータであるに拘わらず時間情報的には光ディスク１の外周側の位置に現存する絶対位置時間情報と見なされてしまうので、適正な再生データを得ることができなくなってしまう。
【００１８】
そこで、本発明の目的は、正規の規格を超えた記録時間に対応して情報記録された光ディスクを再生するときに、複数の記録セッションの内の最初のセッションの有するリードインエリアであるのか後方向に位置するセッションのリードインエリアであるかの判別を、従来の回路構成や機構を複雑にしたり信号処理のためのソフトウエアを大きく変更したりすることなく得られるディスク再生装置及び再生位置診断方法を提供することにある。
【００１９】
【課題を解決するための手段】
前記課題を解決するために、本発明によるディスク再生装置及び再生位置診断方法は、次に記載するような特徴的な構成を採用している。
【００２０】
（１）リードインデータとプログラムデータとリードアウトデータを含むセッションが複数連続して記録可能とされ、
（内周側）最端に位置するセッションのリードインデータの絶対時間データが、当該リードインデータに係るプログラムデータに付された絶対時間データに対して不連続な値で付されたマルチセッション型のディスクを再生するディスク再生装置において、
前記ディスクの（内周）最端近傍に設けられ、前記ディスクを再生するためのピックアップが当該端部近傍に位置したことを検出し、検出結果を出力するスイッチ部材と、
前記ピックアップで読み取った再生信号から絶対時間データを得るデータ処理手段と、
前記スイッチ部材の検出出力と前記データ処理手段によって得られた絶対時間データから、取得した絶対時間データが（内周側）最端に位置するセッションのリードインデータであるか否かを判断する判断手段と、
を具備するディスク再生装置。
【００２１】
（２）前記判断手段は、前記スイッチ部材が、（内周）最端近傍に前記ピックアップが位置することを検出している状態では、前記データ処理手段で得られた絶対時間データは、前記（内周側）最端に位置するセッションのリードインデータの絶対時間データであると判断する上記（１）のディスク再生装置。
【００２２】
（３）前記スイッチ部材は、前記ディスクの（内周側）最端に位置するセッションのプログラムデータに対応する位置、若しくは前記プログラムデータに隣接する前記リードインデータの最端に対応する位置に設けられている上記（１）または（２）のディスク再生装置。
【００２３】
（４）リードインデータとプログラムデータとリードアウトデータを含むセッションが複数連続して記録され、
（内周側）最端に位置するセッションのリードインデータの絶対時間データが、当該リードインデータに係るプログラムデータに付された絶対時間データに対して不連続な値で付されたマルチセッション型のディスクを再生するディスク再生装置において、
前記ディスクの（内周）最端近傍に設けられ、前記ディスクを再生するためのピックアップが当該端部近傍に位置したことを検出し、検出結果を出力するスイッチ部材と、
前記ピックアップで読み取った再生信号から絶対時間データを得るデータ処理手段と、
前記スイッチ部材の検出出力と前記データ処理手段によって得られた絶対時間データから、取得した絶対時間データが（内周側）最端に位置するセッションのリードインデータであるか否かを判断する判断手段と、
を備え、
前記判断手段は、
前記スイッチ部材が、ディスク（内周）最端近傍に前記ピックアップが位置していることを検出している状態で得られた絶対時間データは、前記（内周）最端に位置するセッションのリードインデータに係る第１の絶対時間データであると判断すると共に、
前記スイッチ部材が、ディスク（内周）最端近傍に前記ピックアップが位置していることを検出していない状態で得られた絶対時間データは、前記（内周）最端に位置するセッションのリードインデータに係るプログラムデータに付された絶対時間データから連続的な値で付された第２の絶対時間データであると判断するディスク再生装置。
【００２４】
（５）前記判断手段の判断処理は、前記データ処理手段で得られた絶対時間情報が所定の範囲にあることが検出されたときに行われる上記（１）乃至（４）のいずれかのディスク再生装置。
【００２５】
（６）リードインデータとプログラムデータとリードアウトデータを含むセッションが複数連続して記録され、
（内周側）最端に位置するセッションのリードインデータの絶対位置時間データが、当該リードインデータに係るプログラムデータに付された絶対位置時間データに対して不連続な値で付されたマルチセッション型のディスクを再生するディスク再生装置の再生位置診断方法において、
前記ディスクを再生するためのピックアップが当該端部近傍に位置したことを検出した状態で得られた絶対時間データは、（内周側）最端に位置するセッションのリードインデータに係る絶対時間データであると判断するディスク再生装置の再生位置判断方法。
【００２６】
【発明の実施の形態】
以下、本発明の一実施の形態について図面を用いて詳細に説明する。尚、本実施形態によるディスク再生装置及び再生位置診断方法において再生されるディスクは、光ディスクに限定されない。また、従来技術の項で図３を用いて説明したと同様に図１に示すように光ディスク１に取付穴２と情報記録部３を有し、情報記録部３に光ピックアップ（不図示）を用いて音楽データ、パソコンデータ、画像データ等々を情報記録されたもので、情報記録部３に記録されたデータは、リードインデータとプログラムデータとリードアウトデータを含むセッションが複数連続して記録可能とされると共に、最初のセッション即ち第１セッションの有するリードインデータが、該第１セッションのプログラムデータに付された絶対位置時間データに対して不連続桁の絶対位置時間データが付されたマルチセッション型の光ディスクが構成される。
【００２７】
また、情報記録部３の記録済み情報を再生するための光ピックアップ（不図示）が該光ディスクの周端部位置近傍、例えば光ディスク１の最内周寄りに移動したときに作動するスイッチ部材（不図示の最内周検出スイッチ）が設けられている。
【００２８】
このスイッチ部材の作動状態と、光ディスク１を再生して得られる絶対時間データから、得られた絶対時間データが第１セッションのリードインデータのものであるか否かを判断する。この判断は、不図示のマイコン等によって構成される判断手段により行われる。また、光ピックアップで読み取った再生信号から絶対時間データを得るデータ処理手段（不図示）が設けられている。具体的には、サブＱコードの所定領域から絶対時間データを得るよう構成されており、記録可能ディスクの場合には、プリグルーブのウォブル信号に変調して記録されたアドレス情報から得るように構成されている。このアドレス情報は、時間情報の形式では記録されていないが、同等のものとして扱うことができる。
【００２９】
その具体的な処理ステップの一例は図２に示すフローチャートに示す動作ステップの通りに実行される。なお、この動作ステップは、従来技術の項で説明した図８に示すフローチャートの一部を変更したもので、即ち、ステップＳ３とステップＳ４を直結せずにその間にステップＳ６を介挿したものである。
【００３０】
従って、従来同様にしてステップＳ１乃至ステップＳ３が実行された後にステップＳ６が実行されるもので、ステップＳ３で絶対位置時間情報が９０分００秒００フレーム以上であるか否かが判定され、現行規格上の物理的容量として有り得ないであろう「９０分００秒００フレーム」を超えた場合（Ｙｅｓの場合）にステップＳ６に移行する。
【００３１】
この状態は、後段処理で第１の絶対位置時間データとして確定される場合と、第２の絶対位置時間データとして確定される場合のいずれかとなる。
【００３２】
ステップＳ６は、最内周スイッチがオンされているか否かを判定するもので、オンされている場合（Ｙｅｓの場合）には、次のステップＳ４に進んで絶対位置時間情報に「−９９分５９秒７５フレーム」を足し算した値が、次のステップＳ５で絶対位置であると確定され「第１の絶対位置時間データ」として確定されて一連動作が終了され、そのデータが後段の信号処理に用いられる。
【００３３】
一方、ステップＳ６によって、最内周スイッチがオンされていないと判定された場合（Ｎｏの場合）には、ステップＳ５に進み、再生された絶対位置時間情報がそのままの状態で「第２の絶対位置時間データ」として確定されて一連動作が終了され、そのデータが後段の信号処理に用いられる。
【００３４】
従って、光ディスク１を再生するための光ピックアップがその周端部位置近傍に移動したときにスイッチ部材が作動したときに、光ディスク１を再生して得られる絶対位置時間データを、前記最初のプログラムデータに付された絶対位置時間データに連続する減算時間データを第１の絶対位置時間データとして確定する第１の動作ステップと、スイッチ部材が作動しないときに、光ディスク１を再生して得られる絶対位置時間データを第２の絶対位置時間データとして確定する第２の動作ステップとがステップＳ３乃至ステップＳ５によって形成される。
【００３５】
今まで説明した光ディスク再生時の絶対時間判断において用いられるスイッチ部材がオンされる時点は、光ディスク１の有する第１セッションに含まれるリードインデータの記録位置に対応した部位に光ピックアップが移動したときに作動するように構成したり、第１セッションに含まれるプログラムデータの記録位置に対応した部位光ピックアップが移動したときに作動するように構成したり、第１セッションに含まれるリードアウトデータの記録位置に対応した部位に光ピックアップが移動したときに作動するように構成する場合があるがいずれであってもよいことは勿論である。
【００３６】
また、ステップＳ６において行われる判断は、現行規格上の物理的容量として有り得ないであろう判断基準値の「９０分００秒００フレーム」以上であるか否かを判定するものであるが、当該ステップＳ６における判断基準値の具体値の選択は設計の自由に任されるものである。
【００３７】
なお、本実施形態の第１セッションのリードインエリアデータであると判断された後の絶対時間は、後段の信号処理において連続時間情報として扱えるように「−９９分５９秒７５フレーム」のオフセットを与えるという制御を採用しているが、処理を簡単にするために第１セッションのリードインエリアのデータの絶対時間を「００分００秒００フレーム」という固定値と置き換えて後段の信号処理を行うことも可能である。
【００３８】
即ち、図２に示すフローチャートのステップＳ４を図３に示すフローチャートのようなステップＳ７に変更することによって、一連の動作プログラムの要するオフセットのための計算ステップを省略することができるのでソフトウエア的な構成を簡略化させることができる。
【００３９】
一方、図２及び図３に示すステップＳ１において実行される「マルチセッションディスクであるか否か」の判定は、図４に示すフローチャートのような動作ステップで実行させることができ、ディスク判定処理の開始に伴いステップＳ８にてリードインエリアにピックアップが移動され、ステップＳ９に進み、リードインエリアのサブＱコードの取込みが開始されステップＳ１０に進む。
【００４０】
ステップＳ１０は、取込まれたサブＱコードを解読して「ＡＤＤＲ−５」が存在するか否かを判定するもので、「ＡＤＤＲ−５」は、マルチセッションディスクにのみ存在するという規格上の性質を利用したものである。ステップＳ１０にて「ＡＤＤＲ−５」が存在する場合（Ｙｅｓの場合）にはステップＳ１１に進んでマルチセッションディスクであると判定し、存在しない場合（Ｎｏの場合）にはステップＳ１２に進んでマルチセッションディスクではないと判定するのである。
【００４１】
以上、本発明による光ディスク再生時の絶対時間判断装置及び絶対時間判断方法の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００４２】
【発明の効果】
以上の説明で明らかなように、本発明による光ディスク再生時の絶対時間判断装置及び絶対時間判断方法は、光ピックアップがディスク最内周近傍に移動したときに作動するスイッチ部材のオン／オフ情報を利用しているために、再生された絶対時間情報が、最初のセッションに相応するものであるか後方向にあるセッションに相応するものであるかの判別を確実に行うことができ、しかも、従来構造を複雑にしたり信号処理のためのソフトウエアを大きく変更したりすることのない光ディスク再生時の絶対時間判断装置及び絶対時間判断方法を提供することができる。
【図面の簡単な説明】
【図１】本発明の一実施の形態によるディスク再生装置によって再生される光ディスクの情報記録部の記録内容と最内周検出スイッチのオン／オフ状態を模式的に示す図である。
【図２】本発明の一実施の形態による光ディスク再生時の絶対時間判断の動作を説明するためのフローチャートである。
【図３】本発明の他実施の形態による光ディスク再生時の絶対時間判断の動作を説明するためのフローチャートである。
【図４】図２及び図３に示される動作ステップの詳細を示すフローチャートである。
【図５】従来の光ディスク再生時の絶対時間判断装置によって再生される光ディスクの情報記録部の記録内容を模式的に示す図である。
【図６】図５に示される光ディスクの情報記録部に付された絶対位置時間の全体を説明するための線図である。
【図７】図５に示される光ディスクの第１セッション内のリードインエリアとプログラムエリアの境界部の絶対時間データを説明するための模式図である。
【図８】従来の光ディスク再生時の絶対時間判断の動作を説明するためのフローチャートである。
【符号の説明】
１　光ディスク
２　取付穴
３　情報記録部
【図１】
2004054990.tif 000003
【図２】
2004054990.tif 000004
【図３】
2004054990.tif 000005
【図４】
2004054990.tif 000006
【図５】
2004054990.tif 000007
【図６】
2004054990.tif 000008
【図７】
2004054990.tif 000009
【図８】
2004054990.tif 000010